(57)【要約】  本発明の課題は、カーテンの開状態、閉状態の両方で効率的に換気することができる農業用ハウスを提供することである。本発明に係る農業用ハウス（１）において、カーテン（２０）は、屋根（１００）を通過して外殻（１０）内に入射した光を減光する閉状態、および屋根（１００）を通過して外殻（１０）内に入射した光を減光しない開状態との間で変形可能に構成される。そして、第１吸気用ファン（３１ａ）は、閉状態のカーテン（２０）より上方に配置され、第２吸気用ファン（３１ｂ）は、閉状態のカーテン（２０）より下方に配置される。第１排気用ファン（３２ａ）は、閉状態のカーテン（２０）より上方に配置され、第２排気用ファン（３２ｂ）は、閉状態のカーテン（２０）より下方に配置される。
2018066336.tif 000002
【特許請求の範囲】
【請求項１】
互いに対向する第１妻面および第２妻面を有し、屋根が透光性の部材で覆われた外殻と、
前記第１妻面に設けられて、前記外殻内に外気を送り込む複数の吸気用ファンと、
前記第２妻面に設けられて、前記外殻内の空気を前記外殻外に排出する複数の排気用ファンと、
前記外殻内において前記屋根に対向するように配置されたカーテンとを備え、
前記カーテンは、前記屋根を通過して前記外殻内に入射した光を減光する閉状態、および前記屋根を通過して前記外殻内に入射した光を減光しない開状態との間で変形可能に構成され、
前記複数の吸気用ファンのうち、１つ以上の第１吸気用ファンは、前記閉状態の前記カーテンより上方に配置され、１つ以上の第２吸気用ファンは、前記閉状態の前記カーテンより下方に配置され、
前記複数の排気用ファンのうち、１つ以上の第１排気用ファンは、前記閉状態の前記カーテンより上方に配置され、１つ以上の第２排気用ファンは、前記閉状態の前記カーテンより下方に配置される、
ことを特徴とする農業用ハウス。
【請求項２】
前記カーテンは、前記閉状態において前記外殻の内部空間の下部空間と上部空間とを連通させる開口を備えることを特徴とする請求項１記載の農業用ハウス。
【請求項３】
前記外殻は、前記第１妻面および前記第２妻面に交差して、互いに対向する第１側面および第２側面を備え、
前記カーテンは、両開きの第１カーテンおよび第２カーテンで構成され、
前記第１カーテンは、前記開状態において、前記第１側面側に寄せられており、前記閉状態において、前記外殻の中央に向かって斜め上方に引き出されて、前記第１カーテンの下面は、前記第１側面から前記外殻の中央に向かうにつれて高くなる第１傾斜面を形成し、
前記第２カーテンは、前記開状態において、前記第２側面側に寄せられており、前記閉状態において、前記外殻の中央に向かって斜め上方に引き出されて、前記第２カーテンの下面は、前記第２側面から前記外殻の中央に向かうにつれて高くなる第２傾斜面を形成して、
前記閉状態において、前記第１カーテンと前記第２カーテンとの間には前記開口として隙間が形成されている
ことを特徴とする請求項２記載の農業用ハウス。
【請求項４】
前記複数の吸気用ファンが前記外殻内に送り込む風量の合計は、前記複数の排気用ファンが前記外殻外に排出する風量の合計より少ないことを特徴とする請求項１乃至３のいずれか一項に記載の農業用ハウス。
【請求項５】
前記外殻内に気流を発生させる送風ファンをさらに備えることを特徴とする請求項１乃至４のいずれか一項に記載の農業用ハウス。
【請求項６】
前記外殻の内部にミストを発生させるミスト発生装置をさらに備えることを特徴とする請求項１乃至５のいずれか一項に記載の農業用ハウス。
【請求項７】
前記外殻内において前記屋根の下面に対向するように、前記閉状態の前記カーテンの上方に設置された被覆部材をさらに備えることを特徴とする請求項１乃至６のいずれか一項に記載の農業用ハウス。
【請求項８】
前記第１吸気用ファンを複数備え、前記複数の第１吸気用ファンの一部は、前記被覆部材より上方に配置され、前記複数の第１吸気用ファンの残りは、前記被覆部材より下方に配置されており、
前記第１排気用ファンを複数備え、前記複数の第１排気用ファンの一部は、前記被覆部材より上方に配置され、前記複数の第１排気用ファンの残りは、前記被覆部材より下方に配置されている
ことを特徴とする請求項７記載の農業用ハウス。
【請求項９】
前記第１吸気用ファンは、前記被覆部材の上方及び下方の両方に面するように配置され、前記被覆部材の上方及び下方の両方に外気を送り込むことを特徴とする請求項７記載の農業用ハウス。
【請求項１０】
前記第１排気用ファンは、前記被覆部材の上方及び下方の両方に面するように配置され、前記被覆部材の上方及び下方の両方の空気を前記外殻外に排出することを特徴とする請求項９記載の農業用ハウス。
【請求項１１】
前記被覆部材は、透光性の部材であることを特徴とする請求項７乃至１０のいずれか一項に記載の農業用ハウス。
【発明の詳細な説明】
【技術分野】
【０００１】
本発明は、農業用ハウスに関する。
【背景技術】
【０００２】
従来、植物体の栽培環境を調節するために、換気用のファン、および内部空間への太陽光の照射を遮るためのカーテンを備えた農業用ハウスがある（例えば、特許文献１参照）。従来の農業用ハウスでは、内部空間の温度が所定温度以上になると換気扇を動作させて換気を行い、内部空間の温度を低下させていた。また、従来の農業用ハウスは、内部空間の上方を覆うカーテンを備えて、カーテンを閉状態とすることで太陽光の照射を遮っている。つまり、カーテンの開閉動作によって、内部空間における日長（昼間の長さ）が調節されている。【０００３】
しかしながら、上述の従来の農業用ハウスでは、カーテンの開閉状態によってファンの気流が大きく変化するため、カーテンの開状態、閉状態の両方で効率的に換気することが困難であった。
【先行技術文献】
【特許文献】
【０００４】
【特許文献１】特開２０１４−１０３８５６号公報
【発明の概要】
【０００５】
本発明の目的は、カーテンの開状態、閉状態の両方で効率的に換気することができる農業用ハウスを提供することにある。
【０００６】
本発明の一態様に係る農業用ハウスは、外殻と、複数の吸気用ファンと、複数の排気用ファンと、カーテンとを備える。前記外殻は、互いに対向する第１妻面および第２妻面を有し、屋根が透光性の部材で覆われている。前記複数の吸気用ファンは、前記第１妻面に設けられて、前記外殻内に外気を送り込む。前記複数の排気用ファンは、前記第２妻面に設けられて、前記外殻内の空気を前記外殻外に排出する。前記カーテンは、前記外殻内において前記屋根に対向するように配置されている。前記カーテンは、前記屋根を通過して前記外殻内に入射した光を減光する閉状態、および前記屋根を通過して前記外殻内に入射した光を減光しない開状態との間で変形可能に構成される。そして、前記複数の吸気用ファンのうち、１つ以上の第１吸気用ファンは、前記閉状態の前記カーテンより上方に配置され、１つ以上の第２吸気用ファンは、前記閉状態の前記カーテンより下方に配置される。前記複数の排気用ファンのうち、１つ以上の第１排気用ファンは、前記閉状態の前記カーテンより上方に配置され、１つ以上の第２排気用ファンは、前記閉状態の前記カーテンより下方に配置される。
【図面の簡単な説明】
【０００７】
【図１】図１は、実施形態１に係る農業用ハウスの構成を示す概略の斜視図である。
【図２】図２Ａは、同上のカーテンの閉状態時における農業用ハウスの吸気側を示す鉛直方向の断面図である。図２Ｂは、同上のカーテンの閉状態時における農業用ハウスの排気側を示す鉛直方向の別の断面図である。
【図３】図３Ａは、同上のカーテンの閉状態時における農業用ハウスの吸気側を示す鉛直方向の断面図である。図３Ｂは、同上のカーテンの開状態時における農業用ハウスの排気側を示す鉛直方向の別の断面図である。
【図４】図４Ａは、同上のカーテンの閉状態時における農業用ハウスの水平方向の断面図である。図４Ｂは、同上のカーテンの開状態時における農業用ハウスの水平方向の断面図である。
【図５】図５は、同上の変形例１の農業用ハウスの吸気側を示す鉛直方向の断面図である。
【図６】図６は、同上の変形例２の農業用ハウスの水平方向の断面図である。
【図７】図７は、同上の変形例２の農業用ハウスの吸気側を示す鉛直方向の断面図である。
【図８】図８は、同上の変形例３の農業用ハウスの水平方向の断面図である。
【図９】図９は、同上の変形例３の農業用ハウスの吸気側を示す鉛直方向の断面図である。
【図１０】図１０Ａ、図１０Ｂは、実施形態２に係る農業用ハウスの構成を示す。図１０Ａは、同上のカーテンの閉状態時における農業用ハウスの吸気側を示す鉛直方向の断面図である。図１０Ｂは、同上のカーテンの閉状態時における農業用ハウスの排気側を示す鉛直方向の別の断面図である。
【図１１】図１１Ａは、同上の変形例１のカーテンの閉状態時における農業用ハウスの吸気側を示す鉛直方向の断面図である。図１１Ｂは、同上の変形例１のカーテンの閉状態時における排気側を示す農業用ハウスの鉛直方向の別の断面図である。
【発明を実施するための形態】
【０００８】
以下の実施形態は、一般に、農業用ハウスに関する。より詳細には、入射した光を遮光するカーテンを備える農業用ハウスに関する。
【０００９】
以下に説明する各実施形態の農業用ハウスは、植物体を栽培する農業用ハウスを想定している。植物体の種類にとくに制限はなく、果菜類、豆類、果物、花卉、葉菜類などから選択可能である。葉菜類は、ホウレンソウ、コマツナ、レタス、キャベツ、ハクサイなどを代表とする。また、果菜類は、トマト、キュウリ、ナスなどを代表とする。
【００１０】
以下に説明する各実施形態では、農業用ハウスの中に設けた圃場において植物体を栽培する。また、各実施形態では土耕栽培を例として説明するが、防根透水シートなどを用いた隔離床栽培であっても各実施形態の技術は適用可能である。
【００１１】
（実施形態１）
図１に示すように、実施形態１の農業用ハウス１は、構造材としてのフレーム１１と、フレーム１１に支持された被覆体１２とで構成された外殻１０を備える。
【００１２】
フレーム１１は、直径が１０［ｍｍ］以上５０［ｍｍ］以下の金属のパイプあるいは棒（線材）により形成される。フレーム１１を形成する金属には、アルミニウムまたは表面に亜鉛メッキ等の防錆処理を施した鉄が用いられる。また、フレーム１１は、逆Ｕ字状に形成されており、並んで配置された２本の支柱部１１１と、２本の支柱部１１１それぞれの一端間を連結する連結部１１２とを一体に備える。連結部１１２は、滑らかな弧状に形成されている例を示しているが、２本の直線それぞれの一端を付き合わせた逆Ｖ状に形成されていてもよい。
【００１３】
被覆体１２は、透光性の部材で形成されている。被覆体１２は、透光性を有した（望ましくは透明である）合成樹脂フィルムを用いている。被覆体１２に用いる合成樹脂フィルムの厚み寸法は、０．１［ｍｍ］以上３［ｍｍ］以下が一般的であるが、この範囲から逸脱していてもよい。また、被覆体１２に用いる合成樹脂フィルムは、ポリ塩化ビニル、ポリオレフィン、フッ素樹脂などから選択される。なお、被覆体１２は、透光性を有したガラスでもよい。
【００１４】
複数のフレーム１１は、それぞれが囲む面に交差する方向に並ぶ。被覆体１２は、複数のフレーム１１が並んだ状態で複数のフレーム１１に架設される。そして、農業用ハウス１の外殻１０は、複数のフレーム１１が並ぶことにより形成される仮想的な立体物を被覆体１２が全周にわたって覆っている。
【００１５】
農業用ハウス１は、断面半円状の屋根１００と、屋根１００を支持し互いに対向する２つの側面１０１、１０２と、２つの側面１０１、１０２に直交し互いに対向する２つの妻面１０３、１０４とを一体に備える。したがって、農業用ハウス１は、２つの妻面１０３、１０４を結ぶ方向に直交する断面において逆Ｕ字状に形成されている。２つの妻面１０３、１０４を結ぶ方向の寸法は、２つの側面１０１、１０２を結ぶ方向に比べて十分に大きい寸法に設計されている。以降、２つの妻面１０３、１０４を結ぶ方向を第１方向Ｘ１（奥行方向）といい、２つの側面１０１、１０２を結ぶ方向を第２方向Ｘ２（幅方向）という。また、側面１０１を第１側面１０１、側面１０２を第２側面１０２、妻面１０３を第１妻面１０３、妻面１０４を第２妻面１０４と呼ぶ。
【００１６】
農業用ハウス１の外殻１０は、圃場４０を囲む。圃場４０には他の部位よりも盛り上がった複数の畝４１が形成されている。畝４１の長手方向は第１方向Ｘ１に沿っており、第２方向Ｘ２において、複数の畝４１が形成される。複数の畝４１のそれぞれには、植物体５０が植えられる（図２Ａ、図２Ｂ参照）。
【００１７】
そして、図１に示すように、農業用ハウス１は、外殻１０の内部に減光用のカーテン（天井カーテン）２０を備える。カーテン２０は、第２方向Ｘ２において、圃場４０の上部を覆う閉状態（展開状態）と、圃場４０の上部を開放する開状態（収束状態）との間で変形する。すなわち、カーテン２０の閉状態とは、外殻１０内において屋根１００に対向するようにシート状のカーテン２０が引き出された状態である。そして、閉状態のカーテン２０は、屋根１００を通過して外殻１０内に入射した光を減光する。また、カーテン２０の開状態とは、カーテン２０が収束された状態であり、外殻１０内において屋根１００の内面が下方から見て露出している。そして、開状態のカーテン２０は、屋根１００を通過して外殻１０内に入射した光を減光しない。
【００１８】
図２Ａ、図２Ｂに示すように、カーテン２０は、第１カーテン２１と、第２カーテン２２とで構成されている。第１カーテン２１および第２カーテン２２のそれぞれは、互いに独立して、閉状態と開状態との間で変形可能に構成されている。第１カーテン２１および第２カーテン２２は、合成樹脂のフィルムあるいは網であって、太陽光を減衰させる機能を有する。第１カーテン２１および第２カーテン２２の透光率は、たとえば６５％以上７５％以下に設定される。なお、透光率は、さらに小さく設定されていてもよい。第１カーテン２１および第２カーテン２２を形成する材料は、たとえばポリオレフィンが選択される。
【００１９】
第１カーテン２１の固定端（一端）は、第１側面１０１の上端（または上端付近）に固定されている。開状態の第１カーテン２１は、第１側面１０１の上端（または上端付近）においてロール状に巻き取られた状態で収束している。そして、第１カーテン２１は、固定されていない先端（他端）が屋根１００の頂点の下方に向かって引っ張られることで、屋根１００の下面側を徐々に覆っていく。第１カーテン２１の先端がさらに引っ張られると、第１カーテン２１の先端が屋根１００の頂点の下方に達して、屋根１００の半分（第１側面１０１側）を下方から覆う閉状態となる。また、第１カーテン２１が巻き取られて収束することで、第１カーテン２１は、閉状態から開状態になる。
【００２０】
第２カーテン２２の固定端（一端）は、第２側面１０２の上端（または上端付近）に固定されており、開状態の第２カーテン２２は、第２側面１０２の上端（または上端付近）においてロール状に巻き取られた状態で収束されている。そして、第２カーテン２２は、固定されていない先端（他端）が屋根１００の頂点の下方に向かって引っ張られることで、屋根１００の下面側を徐々に覆っていく。第２カーテン２２の先端がさらに引っ張られると、第２カーテン２２の先端が屋根１００の頂点の下方に達して、屋根１００の半分（第２側面１０２側）を下方から覆う閉状態となる。また、第２カーテン２２が巻き取られて収束することで、第２カーテン２２は、閉状態から開状態になる。
【００２１】
すなわち、第１カーテン２１および第２カーテン２２は、ロール状に巻き取られることで開状態になり、ロール状に巻き取られた状態から外殻１０の中央に向かって斜め上方に引き出されることで閉状態になる。また、第１カーテン２１および第２カーテン２２は、蛇腹状に畳まれることで開状態になり、蛇腹状に畳まれた状態から引き出されることで閉状態になってもよい。
【００２２】
そして、第１カーテン２１が閉状態になった場合、第１カーテン２１の下面は、第１側面１０１の上端から屋根１００の頂点に向かって斜め上方に延びる第１傾斜面２１０を形成する。また、第２カーテン２２が閉状態になった場合、第２カーテン２２の下面は、第２側面１０２の上端から屋根１００の頂点に向かって斜め上方に延びる第２傾斜面２２０を形成する。そして、第１カーテン２１および第２カーテン２２の各先端は互いに近づいており、カーテン２０は、第１方向Ｘ１に沿って頂点が直線状に延びる山形形状に形成される。
【００２３】
なお、外殻１０には、第１側面１０１の上端から屋根１００の頂点に向かって斜め上方に延びる閉状態の第１カーテン２１を支持する支持部材が設けられており、第１カーテン２１は、当該支持部材に沿って閉状態と開状態との間で変形する。また、外殻１０には、第２側面１０２の上端から屋根１００の頂点に向かって斜め上方に延びる閉状態の第２カーテン２２を支持する支持部材が設けられており、第２カーテン２２は、当該支持部材に沿って閉状態と開状態との間で変形する。
【００２４】
第１カーテン２１及び第２カーテン２２をそれぞれ支持する支持部材には、例えばアルミ、ステンレス、鉄などの金属フレーム、あるいは樹脂フレームが用いられる。しかし、支持部材は、金属フレーム、あるいは樹脂フレームのように剛性が高い部材でなくてもよい。支持部材は、第１カーテン２１及び第２カーテン２２が下方に下がり過ぎないように支持できるものであればよい。例えば、支持部材には、ロープ、金属ワイヤー、樹脂ワイヤーなどのように柔軟な材質のものを用いることもできる。
【００２５】
第１カーテン２１および第２カーテン２２を開状態と閉状態との間で変形させる方法には、例えば、モータなど動力源の駆動力を駆動機構を介して第１カーテン２１および第２カーテン２２に伝達する方法がある。また、第１カーテン２１および第２カーテン２２に接続された紐を人が引っ張ることでも、第１カーテン２１および第２カーテン２２を開状態と閉状態との間で変形させることができる。なお、カーテンを開閉する具体的な方法は周知であり、詳細な説明は省略する。
【００２６】
さらに、図１に示すように、農業用ハウス１は、外殻１０に窓２５を備える。窓２５は、外殻１０の内部と外部との間で通気させる開位置と、外殻１０の内部と外部とを遮断して通気させない閉位置との間で移動可能である。窓２５は、第１側面１０１、第２側面１０２それぞれに設けられている。窓２５は、開度が調節されることにより、外殻１０の内部と外部との間で通気する際の空気の通気抵抗を調節する。第１側面１０１、第２側面１０２それぞれの窓２５は、駆動装置により独立して駆動される。駆動装置は、モータのような動力源を備え、窓２５にそれぞれ対応した駆動機構を備えている。
【００２７】
次に、農業用ハウス１の第１妻面１０３の上側には、３つの第１吸気用ファン３１ａおよび３つの第２吸気用ファン３１ｂが配置されている。３つの第１吸気用ファン３１ａは、第２方向Ｘ２における第１妻面１０３の中央付近に、第２方向Ｘ２に並んで配置されている。３つの第２吸気用ファン３１ｂは、３つの第１吸気用ファン３１ａの下側に第２方向Ｘ２に並んで配置されている。３つの第２吸気用ファン３１ｂの下方には、人が出入りするための入口が設けられる。なお、第１吸気用ファン３１ａおよび第２吸気用ファン３１ｂを区別しない場合、吸気用ファン３１と呼ぶ。
【００２８】
また、農業用ハウス１の第２妻面１０４の上側には、３つの第１排気用ファン３２ａおよび３つの第２排気用ファン３２ｂが配置されている。３つの第１排気用ファン３２ａは、第２方向Ｘ２における第２妻面１０４の中央付近に、第２方向Ｘ２に並んで配置されている。３つの第２排気用ファン３２ｂは、３つの第１排気用ファン３２ａの下側に第２方向Ｘ２に並んで配置されている。なお、第１排気用ファン３２ａおよび第２排気用ファン３２ｂを区別しない場合、排気用ファン３２と呼ぶ。
【００２９】
吸気用ファン３１および排気用ファン３２は、機械換気によって農業用ハウス１の換気を行い、農業用ハウス１の内部環境（内部温度、内部湿度など）の調節に寄与する。
【００３０】
農業用ハウス１では、カーテン２０、窓２５、吸気用ファン３１、および排気用ファン３２などの設備の動作が制御されることにより、農業用ハウス１の内部環境が制御される。この結果、農業用ハウス１内において植物体５０を育成する環境を整えることが可能になる。
【００３１】
以下、カーテン２０、窓２５、吸気用ファン３１、および排気用ファン３２について、図２Ａ、図２Ｂ、図３Ａ、図３Ｂ、図４Ａ、図４Ｂを用いて詳述する。
【００３２】
閉状態のカーテン２０は、第１カーテン２１および第２カーテン２２によって第１方向Ｘ１に沿って頂点が延びた切妻屋根のような形状に形成されている。すなわち、外殻１０の内部空間１３は、閉状態のカーテン２０によって、上部空間１３ａおよび下部空間１３ｂに分割される（図２Ａ、図２Ｂ参照）。上部空間１３ａは、カーテン２０より上方の空間であり、下部空間１３ｂは、カーテン２０より下方の空間である。植物体５０は、下部空間１３ｂに存在する。
【００３３】
そして、図２Ａに示すように、第１吸気用ファン３１ａは、上部空間１３ａに面するように、第１妻面１０３に設けられている。第２吸気用ファン３１ｂは、下部空間１３ｂの上端付近に面するように、第１妻面１０３に設けられている。すなわち、第１吸気用ファン３１ａは、カーテン２０より上方に配置されており、上部空間１３ａに外気を送り込む。また、第２吸気用ファン３１ｂは、カーテン２０より下方に配置されており、下部空間１３ｂに外気を送り込む。
【００３４】
また図２Ｂに示すように、第１排気用ファン３２ａは、上部空間１３ａに面するように、第２妻面１０４に設けられている。第２排気用ファン３２ｂは、下部空間１３ｂの上端付近に面するように、第２妻面１０４に設けられている。すなわち、第１排気用ファン３２ａは、カーテン２０より上方に配置されており、上部空間１３ａ内の空気を外部へ排出する。また、第２排気用ファン３２ｂは、カーテン２０より下方に配置されており、下部空間１３ｂ内の空気を外部へ排出する。
【００３５】
そして、夏季の昼間では、通常、第１吸気用ファン３１ａ、第２吸気用ファン３１ｂ、第１排気用ファン３２ａ、第２排気用ファン３２ｂが動作（回転）し、第１側面１０１、第２側面１０２それぞれの窓２５が開状態になっている。
【００３６】
そして、夏季の昼間では、太陽光が外殻１０内に入射して、内部空間１３内の温度が所定温度以上に上昇することがある。このような場合、カーテン２０を閉状態にすることで、植物体５０が存在する下部空間１３ｂに直接照射される太陽光の量を低減させる。そして、下部空間１３ｂにおいて、高温の空気は上方に移動する。そこで、第２排気用ファン３２ｂによって、下部空間１３ｂ内の高温の空気を外部へ排出する（図４Ａ参照）。また、第２吸気用ファン３１ｂによって、下部空間１３ｂより低い温度の外気を下部空間１３ｂに送り込む（図４Ａ参照）。
【００３７】
さらに、下部空間１３ｂ内の高温の空気が上方に移動することで、下部空間１３ｂの下側の気圧は下部空間１３ｂの上側の気圧に比べて低くなる。また、下部空間１３ｂの下側の気圧は、外部の気圧に比べて低くなることもある（負圧状態）。この結果、外気が開状態の窓２５を通って下部空間１３ｂ内に効率よく取り込まれて、換気がさらに促進される。
【００３８】
また、カーテン２０を開状態にすることで、外殻１０内の上部空間１３ａと下部空間１３ｂとが連通して、１つの内部空間１３になる（図３Ａ、図３Ｂ参照）。カーテン２０が開状態になると、植物体５０に直接照射される太陽光の量を増大させることができる。そして、高温の空気は、内部空間１３の上方に移動する。そこで、第１排気用ファン３２ａおよび第２排気用ファン３２ｂによって、内部空間１３内の高温の空気を外部へ排出し、第１吸気用ファン３１ａおよび第２吸気用ファン３１ｂによって、内部空間１３内の高温の空気を外部へ排出する（図４Ｂ参照）。
【００３９】
さらに、内部空間１３内の高温の空気が上方に移動することで、内部空間１３の下側の気圧は内部空間１３の上側の気圧に比べて低くなる。また、内部空間１３の下側の気圧は、外部の気圧に比べて低くなることもある（負圧状態）。この結果、外気が開状態の窓２５を通って内部空間１３内に効率よく取り込まれて、換気がさらに促進される。
【００４０】
なお、本実施形態の農業用ハウス１は、少なくとも１つの第１吸気用ファン３１ａ、少なくとも１つの第２吸気用ファン３１ｂ、少なくとも１つの第１排気用ファン３２ａ、及び少なくとも１つの第２排気用ファン３２ｂを備えていればよい。
【００４１】
また、複数の吸気用ファン３１が外殻１０内に送り込む風量の合計は、複数の排気用ファン３２が外殻１０外に排出する風量の合計より少ないことが好ましい。特に、３つの第１吸気用ファン３１ａが外殻１０内に送り込む風量の合計は、３つの第１排気用ファン３２ａが外殻１０外に排出する風量の合計より少ないことが好ましい。また、３つの第２吸気用ファン３１ｂが外殻１０内に送り込む風量の合計は、３つの第２排気用ファン３２ｂが外殻１０外に排出する風量の合計より少ないことが好ましい。
【００４２】
具体的には、吸気用ファン３１と排気用ファン３２とが互いに同数で、互いに異なる仕様のファンである場合、吸気用ファン３１には、排気用ファン３２より風量が少ないファンを用いればよい。
【００４３】
また、吸気用ファン３１と排気用ファン３２とが同じ仕様のファンである場合、吸気用ファン３１の数を排気用ファン３２の数より少なくすればよい。
【００４４】
また、第１吸気用ファン３１ａと第１排気用ファン３２ａとが互いに同数で、互いに異なる仕様のファンである場合、第１吸気用ファン３１ａには、第１排気用ファン３２ａより風量が少ないファンを用いればよい。
【００４５】
また、第１吸気用ファン３１ａと第１排気用ファン３２ａとが同じ仕様のファンである場合、第１吸気用ファン３１ａの数を第１排気用ファン３２ａの数より少なくすればよい。
【００４６】
また、第２吸気用ファン３１ｂと第２排気用ファン３２ｂとが互いに同数で、互いに異なる仕様のファンである場合、第２吸気用ファン３１ｂには、第２排気用ファン３２ｂより風量が少ないファンを用いればよい。
【００４７】
また、第２吸気用ファン３１ｂと第２排気用ファン３２ｂとが同じ仕様のファンである場合、第２吸気用ファン３１ｂの数を第２排気用ファン３２ｂの数より少なくすればよい。
【００４８】
この場合、カーテン２０が閉状態であれば、下部空間１３ｂを容易に負圧状態にできる。したがって、下部空間１３ｂの気圧が外部より低くなるので、外気が開状態の窓２５を通って下部空間１３ｂ内にさらに効率よく取り込まれて、換気がさらに促進される。
【００４９】
また、カーテン２０が開状態であれば、内部空間１３を容易に負圧状態にできる。したがって、内部空間１３の気圧が外部より低くなるので、外気が開状態の窓２５を通って内部空間１３内にさらに効率よく取り込まれて、換気がさらに促進される。
【００５０】
また、開状態の窓２５を通って取り込まれた外気によって外殻１０内に気流が発生する。そして、この外殻１０内に発生した気流によって、植物体５０の周囲の湿度を下げて、植物体５０の蒸散を促進させることができる。
【００５１】
なお、カーテン２０、窓２５、吸気用ファン３１、および排気用ファン３２の各動作の切替は、人の手作業によって行われることを想定しているが、自動化することも可能である。自動化する場合、農業用ハウス１は、制御装置９０（図１参照）、および複数のセンサをさらに備える。複数のセンサのそれぞれは、上部空間１３ａ、下部空間１３ｂ、外気のそれぞれの温度および湿度、外殻１０内の日射量などを検知し、検知結果を制御装置９０へ出力する。また、制御装置９０は、季節、時刻などを計時するタイマ装置を備えている。制御装置９０は、複数のセンサそれぞれの検知結果、季節、時刻に応じて、植物体５０に適した環境となるように、カーテン２０、窓２５、吸気用ファン３１、および排気用ファン３２の各動作を制御する。
【００５２】
従来の農業用ハウスでは、カーテンの開閉状態によってファンの気流が大きく変化するため、カーテンの開状態、閉状態の両方でファンによる換気を効率的に行うことが困難であった。
【００５３】
また、従来の農業用ハウスでは、屋根に開閉式の換気用の天窓を設けて、屋根付近の高温の空気を外部に放出するように構成される場合がある。しかし、屋根に開閉式の天窓を設けることによって、農業用ハウスの構造が複雑になり、さらには雨漏りの原因にもなっていた。
【００５４】
一方、本実施形態の農業用ハウス１では、上述のように、閉状態のカーテン２０の上下にファンをそれぞれ設けることによって、従来の課題を解決している。具体的には、カーテン２０が閉状態である場合、植物体５０が存在する下部空間１３ｂの第２吸気用ファン３１ｂおよび第２排気用ファン３２ｂによって下部空間１３ｂの換気が行われて、下部空間１３ｂの温度を下げることができる。また、カーテン２０が開状態である場合、植物体５０が存在する内部空間１３の第１吸気用ファン３１ａ、第２吸気用ファン３１ｂ、第１排気用ファン３２ａ、第２排気用ファン３２ｂによって、内部空間１３の換気が行われて、内部空間１３の温度を下げることができる。
【００５５】
したがって、本実施形態の農業用ハウス１では、カーテン２０の閉状態および開状態の両方で、植物体５０が存在する空間に合わせて効率的に換気することができる。この結果、農業用ハウス１では、カーテン２０の開閉状態に関わらず、効率的に換気して、内部の温度を下げることができる。また、屋根１００に開閉式の天窓を設ける必要がないので、構造の簡略化を図ることができ、さらには雨漏りが生じにくくなる。
【００５６】
また、農業用ハウス１は、第１側面１０１および第２側面１０２のそれぞれに窓２５を設けることによって、外気が窓２５を通って内部に効率よく取り込まれて、換気がさらに促進される。
【００５７】
（実施形態１の変形例１）
図５を用いて、実施形態１の変形例１について説明する。
【００５８】
実施形態１の変形例１の農業用ハウス１では、カーテン２０が第１カーテン２１Ａおよび第２カーテン２２Ａで構成されている。そして、カーテン２０が閉状態である場合、第１カーテン２１Ａの先端と第２カーテン２２Ａの先端との間に隙間２３が形成されている。すなわち、第１カーテン２１Ａおよび第２カーテン２２Ａのそれぞれの最大引き出し量が、第１カーテン２１および第２カーテン２２のそれぞれの最大引き出し量より少なくなるように構成されており、隙間２３は、第１方向Ｘ１に沿って矩形状に形成される。したがって、カーテン２０が閉状態である場合、上部空間１３ａと下部空間１３ｂとは隙間２３を通って連通している。すなわち、閉状態のカーテン２０は、上部空間１３ａと下部空間１３ｂとを連通させる開口として、隙間２３を備えている。
【００５９】
カーテン２０が閉状態である場合、下部空間１３ｂ内の高温の空気は上昇する。このとき、下部空間１３ｂ内の高温の空気は、第１傾斜面２１０および第２傾斜面２２０に沿って隙間２３に向かって上昇し、隙間２３を通って上部空間１３ａ内に移動する。すなわち、下部空間１３ｂ内の高温の空気は上部空間１３ａ内に移動するので、カーテン２０が閉状態である場合に下部空間１３ｂ内の温度上昇をさらに抑えることができる。
【００６０】
また、下部空間１３ｂ内の高温の空気が上部空間１３ａ内に移動することで、下部空間１３ｂの気圧は上部空間１３ａの気圧に比べて低くなる。そこで、第１側面１０１、第２側面１０２それぞれの窓２５を開状態にすることで、外気が窓２５を通って下部空間１３ｂ内にさらに効率よく取り込まれて、換気がさらに促進される。
【００６１】
さらに、下部空間１３ｂ内の高温の空気が上部空間１３ａ内に移動し、窓２５から外気が取り込まれることで、下部空間１３ｂ内に気流が生じる。したがって、植物体５０の周囲に高湿度の環境が生じることを抑制できる。この結果、植物体５０の病気を発生しにくくし、さらには植物体５０の蒸散を促進させることができる。
【００６２】
そして、実施形態１の変形例１では、カーテン２０が閉状態である場合、第１排気用ファン３２ａによって、上部空間１３ａ内の高温の空気を外部へ排出する。また、第１吸気用ファン３１ａによって、上部空間１３ａより低い温度の外気を上部空間１３ａに送り込む。
【００６３】
したがって、実施形態１の変形例１の農業用ハウス１では、カーテン２０の閉状態時において、植物体５０が存在する下部空間１３ｂの換気をさらに効率的に行うことができる。
【００６４】
（実施形態１の変形例２）
図６、図７を用いて、実施形態１の変形例２について説明する。
【００６５】
実施形態１の変形例２の農業用ハウス１は、実施形態１の変形例１の下部空間１３ｂ内に送風ファン６０をさらに備える。図６、図７では、３つの送風ファン６０を有する。３つの送風ファン６０は、妻面１０３と畝４１との間で、第２方向Ｘ２に並んで配置されており、妻面１０３から妻面１０４に向かう気流を発生させる。
【００６６】
そして、カーテン２０の閉状態時には、送風ファン６０が下部空間１３ｂ内に妻面１０３から妻面１０４に向かう気流を発生させる。したがって、下部空間１３ｂ内の空気が撹拌されるので、下部空間１３ｂ内の温度のばらつきを小さくすることができる。
【００６７】
また、カーテン２０の開状態時には、送風ファン６０が内部空間１３内に妻面１０３から妻面１０４に向かう気流を発生させる。したがって、内部空間１３内の空気が撹拌されるので、内部空間１３内の温度のばらつきを小さくすることができる。
【００６８】
また、送風ファン６０によって発生した気流によって、植物体５０の周囲に高湿度の環境が生じることを抑制できる。この結果、植物体５０の病気を発生しにくくし、さらには植物体５０の蒸散を促進させることができる。
【００６９】
また、送風ファン６０によって発生する気流は比較的低速であり、植物体５０に当たる気流の流速が例えば１（ｍ／ｓ）以下になるように、送風ファン６０の仕様が決められている。
【００７０】
また、図６、図７において、３つの送風ファン６０は、送風方向が同じになるようにそれぞれ設置されており、妻面１０３側から妻面１０４側に向かう気流を発生させている。しかし、農業用ハウス１は、妻面１０３側から妻面１０４側に向かう気流を発生させる送風ファンと、妻面１０４側から妻面１０３側に向かう気流を発生させる送風ファンとの両方を、下部空間１３ｂ内に設けてもよい。例えば、農業用ハウス１は、上述の３つの送風ファン６０に代えて、外殻１０の第１方向Ｘ１の中央に配置した２つの送風ファンを備える。２つの送風ファンは、第２方向Ｘ２に並んで配置される。そして、２つの送風ファンは、第１方向Ｘ１に沿った互いに逆方向の気流をそれぞれ形成する。この結果、２つの送風ファンによって、外殻１０内を循環する気流が形成される。したがって、内部空間１３内または下部空間１３ｂ内の空気がより撹拌されるので、内部空間１３内または下部空間１３ｂ内の温度のばらつきをより小さくすることができる。
【００７１】
なお、農業用ハウス１は、外殻１０の第１方向Ｘ１の中央に、第２方向Ｘ２に並んで配置された３つ以上の送風ファンを備えてもよい。この場合、３つ以上の送風ファンには、妻面１０３側から妻面１０４側に向かう方向の気流を発生させる送風ファンと、妻面１０４側から妻面１０３側に向かう方向の気流を発生させる送風ファンとが混在している。この結果、３つ以上の送風ファンによって、外殻１０内を循環する気流が形成される。
【００７２】
また、妻面１０３側から妻面１０４側に向かう方向の気流と、妻面１０４側から妻面１０３側に向かう方向の気流とは、互いに同一風量であることが好ましい。
【００７３】
（実施形態１の変形例３）
図８、図９を用いて、実施形態１の変形例３について説明する。
【００７４】
実施形態１の変形例３の農業用ハウス１は、実施形態１の変形例２の下部空間１３ｂ内にミスト発生装置７０をさらに備える。
【００７５】
ミスト発生装置７０は、給水タンクなどからポンプを介して通水される給水管７１を備える。給水管７１には、多数のノズル７２が接続されており、給水管７１に通水されるとノズル７２から水が噴霧されるように構成されている。すなわち、ミスト発生装置７０は水を微粒子状にしたミストを噴出させる。ノズル７２から噴出したミストは、植物体５０に落下する。ノズル７２の形状によっては、噴霧した水粒子を微細化して空気中に滞留させることも可能である。
【００７６】
給水管７１は、下部空間１３ｂ内の定位置に固定される。したがって、給水管７１に給水する圧力を調節することによって、ノズル７２から噴出されるミストを所望の箇所に撒くことが可能になる。
【００７７】
ミストは、気化熱を奪うことにより、植物体５０および植物体５０の周囲温度を下げるために用いられる。すなわち、植物体５０および植物体５０の周囲を、ミストの気化を利用して冷却できるので、より効率的に内部空間１３内を冷却することが可能となる。また、ミストは、薬剤の噴霧に用いられる場合もある。
【００７８】
送風ファン６０が作り出す気流は、ノズル７２から吹き出したミストを外殻１０内で拡散させ、植物体５０の群落にミストを行き渡らせる働きをする。また、植物体５０に気流が触れることにより、植物体５０に付着したミストの気化が促進される。つまり、送風ファン６０が作り出す気流は、植物体５０に付着したミストを気化させる速度を高めることにより、結果的に、植物体５０の群落の温度が低下する速度を高めることができる。すなわち、植物体５０がより効率的に冷却される。
【００７９】
（実施形態２）
農業用ハウスでは、一般に屋根からの放熱量が多い。そこで、冬季の低温時に農業用ハウスの表面からの放熱を防ぐため、屋根の下方を固定の被覆部材でさらに覆うことがある。農業用ハウスでは、屋根の下方が固定の被覆部材で覆われると、屋根と被覆部材との間に断熱層が形成されて、屋根からの放熱量が減少し、農業用ハウスの断熱性能が向上する。しかし、屋根の下方が固定の被覆部材で覆われると、夏季の高温時には農業用ハウス内の上方に高温の空気が滞留しやすくなる。
【００８０】
そこで、本実施形態では、屋根の下方が固定の被覆部材で覆われている場合でも、農業用ハウス内の上方に高温の空気が滞留しにくい構成について説明する。なお、固定の被覆部材は、カーテン２０のような開閉機構を具備しておらず、屋根の下方を常に覆っている。
【００８１】
図１０Ａ及び図１０Ｂは、本実施形態の農業用ハウス１Ａの構成を示す。本実施形態の農業用ハウス１Ａは、実施形態１の農業用ハウス１に固定の被覆部材８０をさらに備えている。図１０Ａ及び図１０Ｂは、実施形態１の構成（図２Ａ、図２Ｂ参照）に被覆部材８０を付加している。なお、農業用ハウス１Ａにおいて、実施形態１の農業用ハウス１と同様の構成には同一の符号を付して説明は省略する。
【００８２】
被覆部材８０は、透光性の部材で形成されている。被覆部材８０は、透光性を有した（望ましくは透明である）合成樹脂フィルムを用いている。また、被覆部材８０に用いられる合成樹脂フィルムは、ポリ塩化ビニル、ポリオレフィン、フッ素樹脂などから選択される。なお、被覆部材８０は、透光性を有したガラスでもよい。
【００８３】
被覆部材８０は矩形のシート状に形成されており、外殻１０内において屋根１００の下面に対向するように、閉状態のカーテン２０の上方に設置されている。被覆部材８０の第２方向Ｘ２の一端は、外郭１０の内面において、第１カーテン２１の固定端が配置されている第１側面１０１の上端（または上端付近）に、第１方向Ｘ１に沿って固定されている。被覆部材８０の第２方向Ｘ２の他端は、外郭１０の内面において、第２カーテン２２の固定端が配置されている第２側面１０２の上端（または上端付近）に、第１方向Ｘ１に沿って固定されている。そして、被覆部材８０は、第２方向Ｘ２の一端から屋根１００の頂点の直下の所定位置に向かって斜め上方に延び、第２方向Ｘ２の他端から屋根１００の頂点の直下の所定位置に向かって斜め上方に延びている。すなわち、被覆部材８０は、第１方向Ｘ１に沿って頂点が直線状に延びる山形形状に形成されている。
【００８４】
被覆部材８０を支持する支持部材には、例えばアルミ、ステンレス、鉄などの金属フレーム、あるいは樹脂フレームが用いられる。しかし、支持部材は、金属フレーム、あるいは樹脂フレームのように剛性が高い部材でなくてもよい。支持部材は、被覆部材８０が下方に下がり過ぎないように支持できるものであればよく、ロープ、金属ワイヤー、樹脂ワイヤーなどのように柔軟な材質のものを用いることもできる。
【００８５】
上述の被覆部材８０は、第１方向Ｘ１に沿って頂点が延びた切妻屋根のような形状に形成されて、屋根１００と閉状態のカーテン２０との間に配置されている。すなわち、被覆部材８０の上方に屋根１００があり、被覆部材８０の下方に閉状態のカーテン２０がある。そして、外殻１０の内部空間１３において、閉状態のカーテン２０より上方の空間である上部空間１３ａは、第１上部空間１３１及び第２上部空間１３２に分割される（図１０Ａ、図１０Ｂ参照）。第１上部空間１３１は被覆部材８０より上方の空間であり、第２上部空間１３２は、被覆部材８０より下方の空間である。
【００８６】
そして、農業用ハウス１Ａは、屋根１００の下方に固定式の被覆部材８０を備えていることで、第１上部空間１３１が断熱層となり、屋根１００からの放熱量が減少して、断熱性能が向上する。この結果、農業用ハウス１Ａは、冬季、または夏季の夜間などにおいて、内部空間１３の空気をヒータなどによって暖めなくても、圃場４０周辺の温度低下を抑制できる。さらに、内部空間１３の空気をヒータなどによって暖める場合でも、ヒータなどの稼働コスト（燃料代、電気代など）を削減することができる。
【００８７】
さらに、図１０Ａに示すように、３つの第１吸気用ファン３１ａが、上部空間１３ａに面するように、第２方向Ｘ２に並んで第１妻面１０３に設けられている。３つの第１吸気用ファン３１ａのうち、中央の１つの第１吸気用ファン３１ａは、第１上部空間１３１に面するように第１妻面１０３に設けられている。３つの第１吸気用ファン３１ａのうち、両側の２つの第１吸気用ファン３１ａは、第２上部空間１３２に面するように第１妻面１０３に設けられている。すなわち、中央の第１吸気用ファン３１ａは、被覆部材８０より上方に配置されており、第１上部空間１３１に外気を送り込む。また、両側の第１吸気用ファン３１ａは、被覆部材８０より下方に配置されており、第２上部空間１３２に外気を送り込む。
【００８８】
また、図１０Ｂに示すように、３つの第１排気用ファン３２ａが、上部空間１３ａに面するように、第２方向Ｘ２に並んで第２妻面１０４に設けられている。３つの第１排気用ファン３２ａのうち、中央の１つの第１排気用ファン３２ａは、第１上部空間１３１に面するように第２妻面１０４に設けられている。３つの第１排気用ファン３２ａのうち、両側の２つの第１排気用ファン３２ａは、第２上部空間１３２に面するように第２妻面１０４に設けられている。すなわち、中央の第１排気用ファン３２ａは、被覆部材８０より上方に配置されており、第１上部空間１３１内の空気を外部へ排出する。また、両側の第１排気用ファン３２ａは、被覆部材８０より下方に配置されており、第２上部空間１３２内の空気を外部へ排出する。
【００８９】
なお、図１０Ａに示す第１吸気用ファン３１ａのサイズと、図２Ａに示す第１吸気用ファン３１ａのサイズとは互いに異なるが、図中の第１吸気用ファン３１ａのサイズは、実際のサイズを反映させてはいない。また、図１０Ｂに示す第１排気用ファン３２ａのサイズと、図２Ｂに示す第１排気用ファン３２ａのサイズとは互いに異なるが、図中の第１排気用ファン３２ａのサイズは、実際のサイズを反映させてはいない。つまり、図中のファンのサイズは、説明のために図毎に適宜設定している。
【００９０】
そして、夏季の昼間では、通常、第１吸気用ファン３１ａ、第２吸気用ファン３１ｂ、第１排気用ファン３２ａ、第２排気用ファン３２ｂが動作（回転）し、第１側面１０１、第２側面１０２それぞれの窓２５（図１参照）が開状態になっている。
【００９１】
そして、夏季の昼間では、太陽光が外殻１０内に入射して内部空間１３内の温度が所定温度以上に上昇することがある。このような場合、カーテン２０を閉状態にすることで、植物体５０が存在する下部空間１３ｂに直接照射される太陽光の量を低減させる。そして、第２排気用ファン３２ｂによって、下部空間１３ｂ内の高温の空気を外部へ排出する。また、第２吸気用ファン３１ｂによって、下部空間１３ｂより低い温度の外気を下部空間１３ｂに送り込む。さらに、外気が開状態の窓２５（図１参照）を通って下部空間１３ｂ内に効率よく取り込まれて、換気がさらに促進される。
【００９２】
また、中央の第１排気用ファン３２ａは、屋根１００と被覆部材８０との間に形成されている第１上部空間１３１内の高温の空気を外部へ排出する。さらに、中央の第１吸気用ファン３１ａは、第１上部空間１３１より低い温度の外気を第１上部空間１３１に送り込む。したがって、第１上部空間１３１内に高温の空気が滞留しにくくなる。
【００９３】
また、両側の第１排気用ファン３２ａは、カーテン２０と被覆部材８０との間に形成されている第２上部空間１３２内の高温の空気を外部へ排出する。さらに、両側の第１吸気用ファン３１ａは、第２上部空間１３２より低い温度の外気を第２上部空間１３２に送り込む。したがって、第２上部空間１３２内に高温の空気が滞留しにくくなる。
【００９４】
なお、農業用ハウス１Ａでは、少なくとも１つの第１吸気用ファン３１ａが第１上部空間１３１に面し、少なくとも１つの第１吸気用ファン３１ａが第２上部空間１３２に面していればよい。さらに、農業用ハウス１Ａでは、少なくとも１つの第１排気用ファン３２ａが第１上部空間１３１に面し、少なくとも１つの第１排気用ファン３２ａが第２上部空間１３２に面していればよい。すなわち、第１上部空間１３１の吸気及び排気がなされるように、少なくとも１つの第１吸気用ファン３１ａ及び少なくとも１つの第１排気用ファン３２ａが、第１上部空間１３１に面して設けられていればよい。また、第２上部空間１３２の吸気及び排気がなされるように、少なくとも１つの第１吸気用ファン３１ａ及び少なくとも１つの第１排気用ファン３２ａが、第２上部空間１３２に面して設けられていればよい。
【００９５】
上述のように、農業用ハウス１Ａは、屋根１００の下方に固定式の被覆部材８０を備えていることで、屋根１００からの放熱量が減少し、断熱性能が向上する。さらに、カーテン２０が閉状態である場合、屋根１００と被覆部材８０との間に形成されている第１上部空間１３１、及びカーテン２０と被覆部材８０との間に形成されている第２上部空間１３２に、高温の空気が滞留しにくくなる。
【００９６】
また、カーテン２０を開状態にすることで、外殻１０内の第２上部空間１３２と下部空間１３ｂとが連通して、植物体５０に直接照射される太陽光の量を増大させることができる。農業用ハウス１Ａでは、カーテン２０が開状態である場合の内部空間１３は、第１上部空間１３１と、第２上部空間１３２及び下部空間１３ｂからなる空間とに分けられる。この場合も、第１排気用ファン３２ａおよび第２排気用ファン３２ｂによって、内部空間１３内の高温の空気を外部へ排出し、第１吸気用ファン３１ａおよび第２吸気用ファン３１ｂによって、外気を内部空間１３に送り込むことができる。
【００９７】
したがって、農業用ハウス１Ａでは、固定式の被覆部材８０によって断熱性能が向上し、かつカーテン２０が閉状態及び開状態のいずれであっても、内部空間１３の上方に高温の空気が滞留しにくくなる。
【００９８】
（実施形態２の変形例１）
図１１Ａ、図１１Ｂを用いて、実施形態２の変形例１について説明する。
【００９９】
実施形態２の変形例１の農業用ハウス１Ａは、図１１Ａに示すように、２つの第１吸気用ファン３１ａが、第１上部空間１３１及び第２上部空間１３２の両方に面するように第１妻面１０３にそれぞれ設けられている。さらに、実施形態２の変形例１の農業用ハウス１Ａは、図１１Ｂに示すように、２つの第１排気用ファン３２ａが、第１上部空間１３１及び第２上部空間１３２の両方に面するように第２妻面１０４にそれぞれ設けられている。
【０１００】
なお、図１１Ａに示す第１吸気用ファン３１ａのサイズと、図２Ａに示す第１吸気用ファン３１ａのサイズとは互いに異なるが、図中の第１吸気用ファン３１ａのサイズは、実際のサイズを反映させてはいない。また、図１１Ｂに示す第１排気用ファン３２ａのサイズと、図２Ｂに示す第１排気用ファン３２ａのサイズとは互いに異なるが、図中の第１排気用ファン３２ａのサイズは、実際のサイズを反映させてはいない。つまり、図中のファンのサイズは、説明のために図毎に適宜設定している。
【０１０１】
第１吸気用ファン３１ａの吸気口は、被覆部材８０の第１妻面１０３側の端部に対向している。すなわち、被覆部材８０の第１妻面１０３側の端部は、第１吸気用ファン３１ａの吸気口を横切っている。したがって、第１吸気用ファン３１ａは、被覆部材８０の上方及び下方の両方に外気を送り込むことができる。
【０１０２】
また、第１排気用ファン３２ａの排気口は、被覆部材８０の第２妻面１０４側の端部に対向している。すなわち、被覆部材８０の第２妻面１０４側の端部は、第１排気用ファン３２ａの排気口を横切っている。したがって、第１排気用ファン３２ａは、被覆部材８０の上方及び下方の両方の空気を外部へ排出することができる。
【０１０３】
そして、夏季の昼間では、通常、第１吸気用ファン３１ａ、第２吸気用ファン３１ｂ、第１排気用ファン３２ａ、第２排気用ファン３２ｂが動作（回転）し、第１側面１０１、第２側面１０２それぞれの窓２５（図１参照）が開状態になっている。
【０１０４】
そして、夏季の昼間にカーテン２０を閉状態にした場合、第１排気用ファン３２ａは、第１上部空間１３１内及び第２上部空間１３２内の高温の空気を外部へ排出する。さらに、第１吸気用ファン３１ａは、第１上部空間１３１内及び第２上部空間１３２より低い温度の外気を第１上部空間１３１及び第２上部空間１３２に送り込む。したがって、第１上部空間１３１内及び第２上部空間１３２内に高温の空気が滞留しにくくなる。
【０１０５】
上述のように、実施形態２の変形例１の農業用ハウス１Ａでは、第１吸気用ファン３１ａが、第１上部空間１３１及び第２上部空間１３２の両方に外気を送り込む。また、実施形態２の変形例１の農業用ハウス１Ａでは、第１排気用ファン３２ａが、第１上部空間１３１及び第２上部空間１３２の両方の空気を外部へ排出する。
【０１０６】
したがって、１つの第１吸気用ファン３１ａが、第１上部空間１３１及び第２上部空間１３２の両方の吸気を行うので、第１吸気用ファン３１ａの数をより少なくすることができ、さらには第１吸気用ファン３１ａの設置スペースをより小さくできる。また、１つの第１排気用ファン３２ａが、第１上部空間１３１及び第２上部空間１３２の両方の排気を行うので、第１排気用ファン３２ａの数をより少なくすることができ、さらには第１排気用ファン３２ａの設置スペースをより小さくできる。
【０１０７】
また、カーテン２０を開状態にすることで、外殻１０内の第２上部空間１３２と下部空間１３ｂとが連通して、植物体５０に直接照射される太陽光の量を増大させることができる。この場合も、第１排気用ファン３２ａおよび第２排気用ファン３２ｂによって、内部空間１３の高温の空気を外部へ排出し、第１吸気用ファン３１ａおよび第２吸気用ファン３１ｂによって、外気を内部空間１３に送り込むことができる。
【０１０８】
したがって、農業用ハウス１Ａでは、固定式の被覆部材８０によって断熱性能が向上し、かつカーテン２０が閉状態及び開状態のいずれであっても、内部空間１３の上方に高温の空気が滞留しにくくなる。
【０１０９】
なお、図１１Ａ、図１１Ｂに示す農業用ハウス１Ａは、少なくとも１つの第１吸気用ファン３１ａ、少なくとも１つの第２吸気用ファン３１ｂ、少なくとも１つの第１排気用ファン３２ａ、及び少なくとも１つの第２排気用ファン３２ｂを備えていればよい。
【０１１０】
また、農業用ハウス１Ａは、屋根１００の下方に複数の被覆部材８０を上下方向に間隔を空けて設けてもよい。この場合、複数の被覆部材８０の各間にも断熱層が形成されるので、農業用ハウス１Ａの断熱性能がさらに向上する。さらに、農業用ハウス１Ａは、複数の被覆部材８０に挟まれた各空間内の高温の空気を外部へ排出する排気用ファン、及び複数の被覆部材８０に挟まれた各空間に外気を送り込む吸気用ファンをさらに備えることで、内部空間１３の上方に高温の空気が滞留しにくくなる。
【０１１１】
また、被覆部材８０は、第１方向Ｘ１に沿って水平に延びる形状であってもよく、その形状は特定の形状に限定されない。
【０１１２】
なお、実施形態１の変形例１，２，３の各構成に被覆部材８０を付加した場合も、上記同様の効果を得ることができる。
【０１１３】
以上のように、実施形態に係る第１の態様の農業用ハウス１または１Ａは、外殻１０と、複数の吸気用ファン３１と、複数の排気用ファン３２と、カーテン２０とを備える。外殻１０は、互いに対向する第１妻面１０３および第２妻面１０４を有し、屋根１００が被覆体１２（透光性の部材）で覆われている。複数の吸気用ファン３１は、第１妻面１０３に設けられて、外殻１０内に外気を送り込む。複数の排気用ファン３２は、第２妻面１０４に設けられて、外殻１０内の空気を外殻１０外に排出する。カーテン２０は、外殻１０内において屋根１００に対向するように配置される。カーテン２０は、屋根１００を通過して外殻１０内に入射した光を減光する閉状態、および屋根１００を通過して外殻１０内に入射した光を減光しない開状態との間で変形可能に構成される。複数の吸気用ファン３１のうち、１つ以上の第１吸気用ファン３１ａは、閉状態のカーテン２０より上方に配置され、１つ以上の第２吸気用ファン３１ｂは、閉状態のカーテン２０より下方に配置される。複数の排気用ファン３２のうち、１つ以上の第１排気用ファン３２ａは、閉状態のカーテン２０より上方に配置され、１つ以上の第２排気用ファン３２ｂは、閉状態のカーテン２０より下方に配置される。
【０１１４】
上述の農業用ハウス１または１Ａでは、カーテン２０が閉状態である場合、植物体５０が存在する下部空間１３ｂの第２吸気用ファン３１ｂおよび第２排気用ファン３２ｂによって下部空間１３ｂの換気が行われて、下部空間１３ｂの温度を下げることができる。また、カーテン２０が開状態である場合、植物体５０が存在する内部空間１３の第１吸気用ファン３１ａ、第２吸気用ファン３１ｂ、第１排気用ファン３２ａ、第２排気用ファン３２ｂによって、内部空間１３の換気が行われて、内部空間１３の温度を下げることができる。したがって、本実施形態の農業用ハウス１または１Ａでは、カーテン２０の閉状態および開状態の両方で、植物体５０が存在する空間に合わせて効率的に換気することができる。
【０１１５】
この結果、農業用ハウス１または１Ａでは、カーテン２０の開閉状態に関わらず、効率的に換気して、内部の温度を下げることができる。また、屋根１００に開閉式の天窓を設ける必要がないので、構造の簡略化を図ることができる。
【０１１６】
また、実施形態に係る第２の態様の農業用ハウス１または１Ａでは、第１の態様において、カーテン２０は、閉状態において外殻１０の内部空間１３の下部空間１３ｂと上部空間１３ａとを連通させる開口（隙間２３）を備えることが好ましい。
【０１１７】
この場合、下部空間１３ｂ内の高温の空気は隙間２３を通って上部空間１３ａ内に移動するので、カーテン２０が閉状態である場合に下部空間１３ｂ内の温度上昇をさらに抑えることができる。また、下部空間１３ｂ内の高温の空気が上部空間１３ａ内に移動することで、下部空間１３ｂの気圧は上部空間１３ａの気圧に比べて低くなる。したがって、外気が下部空間１３ｂ内にさらに効率よく取り込まれて、換気がさらに促進される。また、外殻１０内に気流を発生させて、植物体５０の周囲の湿度を下げることができる。また、外殻１０内に気流を発生させることで、植物体５０の周囲に高湿度の環境が生じることを抑制できる。この結果、植物体５０の病気を発生しにくくし、さらには植物体５０の蒸散を促進させることができる。
【０１１８】
また、実施形態に係る第３の態様の農業用ハウス１または１Ａでは、第１または第２の態様において、外殻１０は、第１妻面１０３および第２妻面１０４に交差して、互いに対向する第１側面１０１および第２側面１０２を備える。そして、カーテン２０は、両開きの第１カーテン２１Ａおよび第２カーテン２２Ａで構成されることが好ましい。第１カーテン２１Ａは、開状態において、第１側面１０１側に寄せられている。また、第１カーテン２１Ａは、閉状態において、外殻１０の中央に向かって斜め上方に引き出されて、第１カーテン２１Ａの下面は、第１側面１０１から外殻１０の中央に向かうにつれて高くなる第１傾斜面２１０を形成する。第２カーテン２２Ａは、開状態において、第２側面１０２側に寄せられている。また、第２カーテン２２Ａは、閉状態において、外殻１０の中央に向かって斜め上方に引き出されて、第２カーテン２２Ａの下面は、第２側面１０２から外殻１０の中央に向かうにつれて高くなる第２傾斜面２２０を形成する。閉状態において、第１カーテン２１Ａと第２カーテン２２Ａとの間には開口として隙間２３が形成されている。
【０１１９】
この場合、下部空間１３ｂ内の高温の空気は、第１傾斜面２１０および第２傾斜面２２０に沿って隙間２３に向かって上昇し、隙間２３を通って上部空間１３ａ内に移動する。すなわち、下部空間１３ｂ内の高温の空気は上部空間１３ａ内に移動するので、カーテン２０が閉状態である場合に下部空間１３ｂ内の温度上昇をさらに抑えることができる。
【０１２０】
また、下部空間１３ｂ内の高温の空気が上部空間１３ａ内に移動することで、下部空間１３ｂの気圧は上部空間１３ａの気圧に比べて低くなる。したがって、外気が下部空間１３ｂ内にさらに効率よく取り込まれて、換気がさらに促進される。
【０１２１】
また、実施形態に係る第４の態様の農業用ハウス１または１Ａでは、第１乃至第３の態様のいずれか一つにおいて、複数の吸気用ファン３１が外殻１０内に送り込む風量の合計は、複数の排気用ファン３２が外殻１０外に排出する風量の合計より少ないことが好ましい。
【０１２２】
この場合、外殻１０内を容易に負圧状態にできる。したがって、外気が外殻１０内にさらに効率よく取り込まれて、換気がさらに促進される。また、外殻１０内に気流を発生させて、植物体５０の周囲の湿度を下げることができる。また、外殻１０内に気流を発生させることで、植物体５０の周囲に高湿度の環境が生じることを抑制できる。この結果、植物体５０の病気を発生しにくくし、さらには植物体５０の蒸散を促進させることができる。
【０１２３】
また、実施形態に係る第５の態様の農業用ハウス１または１Ａでは、第１乃至第４の態様のいずれか一つにおいて、外殻１０内に気流を発生させる送風ファン６０をさらに備えることが好ましい。
【０１２４】
この場合、外殻１０内の空気が撹拌されるので、外殻１０内の温度のばらつきを小さくすることができる。また、外殻１０内に気流を発生させて、植物体５０の周囲の湿度を下げることができる。また、外殻１０内に気流を発生させることで、植物体５０の周囲に高湿度の環境が生じることを抑制できる。この結果、植物体５０の病気を発生しにくくし、さらには植物体５０の蒸散を促進させることができる。
【０１２５】
また、実施形態に係る第６の態様の農業用ハウス１または１Ａでは、第１乃至第５の態様のいずれか一つにおいて、外殻１０の内部にミストを発生させるミスト発生装置７０をさらに備えることが好ましい。
【０１２６】
この場合、ミストの蒸発による潜熱を利用して外殻１０内を冷却できるので、より効率的に外殻１０内を冷却することが可能となる。
【０１２７】
また、実施形態に係る第７の態様の農業用ハウス１Ａは、第１乃至第６の態様のいずれか一つにおいて、外殻１０内において屋根１００の下面に対向するように、閉状態のカーテン２０の上方に設置された被覆部材８０をさらに備えることが好ましい。
【０１２８】
この場合、屋根１００の下方が被覆部材８０で覆われるので、屋根１００の下方に断熱層が形成されて、屋根１００からの放熱量が減少し、農業用ハウス１Ａの断熱性能が向上する。
【０１２９】
また、実施形態に係る第８の態様の農業用ハウス１Ａは、第７の態様において、第１吸気用ファン３１ａを複数備える。複数の第１吸気用ファン３１ａの一部は、被覆部材８０より上方に配置され、複数の第１吸気用ファン３１ａの残りは、被覆部材８０より下方に配置されていることが好ましい。また、農業用ハウス１Ａは、第１排気用ファン３２ａを複数備える。複数の第１排気用ファン３２ａの一部は、被覆部材８０より上方に配置され、複数の第１排気用ファン３２ａの残りは、被覆部材８０より下方に配置されていることが好ましい。
【０１３０】
この場合、カーテン２０が閉状態及び開状態のいずれであっても、内部空間１３の上方に高温の空気が滞留しにくくなる。
【０１３１】
また、実施形態に係る第９の態様の農業用ハウス１Ａでは、第７の態様において、第１吸気用ファン３１ａは、被覆部材８０の上方及び下方の両方に面するように配置され、被覆部材８０の上方及び下方の両方に外気を送り込むことが好ましい。
【０１３２】
この場合、第１吸気用ファン３１ａの数をより少なくすることができ、さらには第１吸気用ファン３１ａの設置スペースをより小さくできる。
【０１３３】
また、実施形態に係る第１０の態様の農業用ハウス１Ａでは、第９の態様において、第１排気用ファン３２ａは、被覆部材８０の上方及び下方の両方に面するように配置され、被覆部材８０の上方及び下方の両方の空気を外殻１０外に排出することが好ましい。
【０１３４】
この場合、第１排気用ファン３２ａの数をより少なくすることができ、さらには第１排気用ファン３２ａの設置スペースをより小さくできる。
【０１３５】
また、実施形態に係る第１１の態様の農業用ハウス１Ａでは、第７乃至第１０の態様のいずれか一つにおいて、被覆部材８０は、透光性の部材であることが好ましい。
【０１３６】
この場合、被覆部材８０は光を減光（または遮光）しないので、外殻１０内に入射する光の量をカーテン２０によって調整することができる。
【０１３７】
また、上述の実施形態および変形例は本発明の一例である。このため、実施形態及び変形例は、上述の構成に限定されることはなく、上述の構成以外であっても、本実施形態及び変形例に係る技術的思想を逸脱しない範囲であれば、設計等に応じて種々の変更が可能であることは勿論である。
【符号の説明】
【０１３８】
１，１Ａ  農業用ハウス
１０  外殻
１２  被覆体（透光性の部材）
１３  内部空間
１３ｂ  下部空間
１３ａ  上部空間
２０  カーテン
２１，２１Ａ  第１カーテン
２２，２２Ａ  第２カーテン
２３  隙間（開口）
３１  吸気用ファン
３１ａ  第１吸気用ファン
３１ｂ  第２吸気用ファン
３２  排気用ファン
３２ａ  第１排気用ファン
３２ｂ  第２排気用ファン
６０  送風ファン
７０  ミスト発生装置
８０  被覆部材
１００  屋根
１０１  第１側面
１０２  第２側面
１０３  第１妻面
１０４  第２妻面
２１０  第１傾斜面
２２０  第２傾斜面
【図１】
2018066336.tif 000003
【図２】
2018066336.tif 000004
【図３】
2018066336.tif 000005
【図４】
2018066336.tif 000006
【図５】
2018066336.tif 000007
【図６】
2018066336.tif 000008
【図７】
2018066336.tif 000009
【図８】
2018066336.tif 000010
【図９】
2018066336.tif 000011
【図１０】
2018066336.tif 000012
【図１１】
2018066336.tif 000013
【国際調査報告】
2018066336.tif 000014
2018066336.tif 000015
2018066336.tif 000016
2018066336.tif 000017